(57)【要約】【課題】  外観を向上することが可能な照明器具を提供する。【解決手段】  両端が開放された筒製でかつ光源を内蔵する器具本体５の端部に、この本体５内に開放する溝６を設ける。器具本体５の内周面に接する周壁２２とこの壁から折れ曲がった支持壁２３を有する支持枠２１を、器具本体５の両端部内側に夫々嵌合する。溝６に対向する通孔２５を周壁２２に複数設け、支持壁２３に第１ねじ孔２６及び第２ねじ孔２７を夫々複数設ける。通孔２５から溝６内に挿入されて溝６の溝側面６ａと支持壁２３とで挟まれるストッパ部材３１を、第２ねじ孔２７に螺合された固定ねじ３２で支持壁２３に固定したことを特徴としている。【選択図】図６
2012186096.tif 000002
【特許請求の範囲】
【請求項１】
両端が開放された筒からなり、この筒の中心軸線が延びる方向に対向する溝側面で区画されて前記筒内に開放する溝を両端部に有した器具本体と；
この器具本体の内周面に接する周壁、及び前記内周面から遠ざかる方向に前記周壁から折れ曲がった支持壁を有して前記器具本体の両端部内側に夫々嵌合されていて、かつ、前記周壁が前記溝に対向する通孔を複数有し、前記支持壁が複数の第１ねじ孔及び前記通孔の近傍に夫々設けられた第２ねじ孔を有した支持枠と；
前記通孔から前記溝内に挿入されて前記溝側面の一方と前記支持壁とで挟まれるとともに、前記第２ねじ孔に夫々螺合された固定ねじで前記支持壁に固定された複数のストッパ部材と；
前記器具本体の中心軸線と平行に前記第１ねじ孔に夫々螺合されたカバー取付けねじで前記器具本体の端面を覆って前記器具本体の両端に夫々取付けられたカバーと；
前記器具本体に内蔵された光源と；
を具備することを特徴とする照明器具。
【請求項２】
前記カバーと前記器具本体の端面との間に挟まれた防水パッキンと、前記取付けねじの頭部と前記カバーとの間に挟まれたねじ防水パッキンとを、更に備え、前記防水パッキンが前記器具本体の端面と前記支持枠の周壁の端面とに接していることを特徴とする請求項１に記載の照明器具。
【発明の詳細な説明】
【技術分野】
【０００１】
本発明の実施形態は、例えば屋外での照明に使用可能な照明器具に関する。
【背景技術】
【０００２】
光源等が内蔵される器具本体が、複数本のねじで連結される両部材で形成された照明器具が、従来技術として知られている。尚、この照明器具の器具本体内に水が浸入しないようにする必要がある場合は、前記両部材間に挟まれた防水パッキンを、ねじの締め付けにより圧縮させて前記両部材に密接させている。
【０００３】
器具本体の中心軸線が延びる方向に投光する照明器具で、前記中心軸線に直角な方向からねじをねじ込んで器具本体が組立てられた構成では、ねじ頭が器具本体の周面に露出するので、ねじ頭が容易に視認されてしまい照明器具の外観上好ましくない、という課題がある。
【０００４】
一方、器具本体の中心軸線と平行にねじを締め付けて組立てられた照明器具では、器具本体の周部にねじ止め用の突出部が設けられるため、ねじ頭が視認されない代わりに突出部が視認されてしまい照明器具の外観上好ましくない、という課題がある。
【先行技術文献】
【特許文献】
【０００５】
【特許文献１】特許第３５８４４９０号公報
【特許文献２】実公平８−９８５４号公報
【発明の概要】
【発明が解決しようとする課題】
【０００６】
実施形態は、外観を向上することが可能な照明器具を提供することにある。
【課題を解決するための手段】
【０００７】
前記課題を解決するために、実施形態の照明器具は、両端が開放された筒製でかつ光源を内蔵する器具本体の端部に、この本体の内周面に開放する溝を設ける。器具本体の内周面に接する周壁及びこの周壁から折れ曲がった支持壁を有する支持枠を、器具本体の両端部内側に夫々嵌合する。溝に対向する複数の通孔を周壁に設け、支持壁に複数の第１ねじ孔及び第２ねじ孔を夫々設ける。通孔から溝内に挿入されて溝の溝側面と支持壁とで挟まれたストッパ部材を、第２ねじ孔に螺合された固定ねじで支持壁に固定する。器具本体の中心軸線と平行に第１ねじ孔に螺合されたカバー取付けねじで、カバーを器具本体の両端に夫々取付けたことを特徴としている。
【発明の効果】
【０００８】
実施形態の照明器具によれば、外観を向上することが可能である、という効果を期待できる。
【図面の簡単な説明】
【０００９】
【図１】実施例１に係る照明器具を示す斜視図である。
【図２】図１の照明器具をその上側のカバーが外された状態で示す上面図である。
【図３】図２中矢印Ｆ３−Ｆ３線を通る位置で図１の照明器具の一部を示す断面図である。
【図４】図２中矢印Ｆ４−Ｆ４線を通る位置で図１の照明器具の他の一部を示す断面図である。
【図５】図２中矢印Ｆ５−Ｆ５線を通る位置で図１の照明器具の更に他の一部を示す断面図である。
【図６】図１の照明器具の器具本体の上端にカバーを取付ける構成を分解して示す断面図である。
【図７】図１の照明器具の器具本体に支持枠を取付ける構成を分解して示す斜視図である。
【図８】図１の照明器具のカバーをこれに取付けられた部品とともに示す裏面図である。
【図９】図８のカバーを示す裏面図である。
【図１０】図１の照明器具をその上側のカバー及び上側の支持枠が外された状態で示す斜視図である。
【発明を実施するための形態】
【００１０】
実施形態１の照明器具は、両端が開放された筒からなり、この筒の中心軸線が延びる方向に対向する溝側面で区画されて前記筒内に開放する溝を両端部に有した器具本体と；この器具本体の内周面に接する周壁、及び前記内周面から遠ざかる方向に前記周壁から折れ曲がった支持壁を有して前記器具本体の両端部内側に夫々嵌合されていて、かつ、前記周壁が前記溝に対向する通孔を複数有し、前記支持壁が複数の第１ねじ孔及び前記通孔の近傍に夫々設けられた第２ねじ孔を有した支持枠と；前記通孔から前記溝内に挿入されて前記溝側面の一方と前記支持壁とで挟まれるとともに、前記第２ねじ孔に夫々螺合された固定ねじで前記支持壁に固定された複数のストッパ部材と；前記器具本体の中心軸線と平行に前記第１ねじ孔に夫々螺合されたカバー取付けねじで前記器具本体の端面を覆って前記器具本体の両端に夫々取付けられたカバーと；前記器具本体に内蔵された光源と；を具備することを特徴としている。
【００１１】
この実施形態１で、器具本体をなす筒は、円筒であっても角筒であっても差し支えないが、その内面に溝をより容易に加工することが可能である点から円筒にすることが好ましい。この実施形態１で、支持枠の周壁は、軽圧入して器具本体の内周面に接することが可能であり、この場合、周壁は弾性変形が可能であることが好ましい。
【００１２】
この実施形態１で、周壁の通孔は、器具本体の溝の幅全体に対向していても良いが、溝を区画しかつ器具本体の中心軸線が延びる方向に対向した溝側面のうちで器具本体の端面に近い方の溝側面が通孔の幅内に位置されるように、溝の一部に対向して設けられていることが好ましい。
【００１３】
この実施形態１で、ストッパ部材は、溝側面の一方と支持壁とで挟まれる部位とそれ以外の部位との厚みが異なっていても差し支えないが、ストッパ部材の材料コストを低減し、かつ、ストッパ部材の取扱いを容易にする上で平板により形成することが好ましく、又、前記挟まれる部位の幅とそれ以外の部位の幅とは異なっていても差し支えない。
【００１４】
この実施形態１で、器具本体の中心軸線が延びる方向の片方から投光する照明器具を構成する場合、投光側に配設されるカバーは投光機能を有したカバーとし、投光しない側に配設されるカバーは投光機能がない遮光性のカバーとして実施すればよい。又、この実施形態１で、器具本体の中心軸線が延びる方向の両方から投光する照明器具を構成する場合、投光側に配設される夫々のカバーは投光機能を有したカバーとして実施すればよい。
【００１５】
この実施形態１の照明器具は、例えば屋外に設置される照明器具、具体的には、壁や柱に取付けられて上方と下方の少なくとも一方、又は左方と右方の少なくとも一方に投光するブラケットライトと通称される照明器具に適用できる他、建物の壁面や樹木のライトアップ用の投光器としても適用でき、或いは、屋内でも例えば共同浴場内に設置される照明器具等としても適用可能である。
【００１６】
実施形態１の照明器具は、カバーを器具本体の端に取付けるカバー取付けねじの受けとなる支持枠、この支持枠を器具本体に固定するためのストッパ部材、このストッパ部材を外れ止めする器具本体の溝及び固定ねじを、器具本体の内部に取付け、支持枠が有した第１ねじ孔に、カバーをその厚み方向に貫通して器具本体の中心軸線と平行に挿入されたカバー取付けねじを螺合することによって、カバーを器具本体に取付けている。これにより、筒からなる器具本体の周面に、カバー取付けねじの頭部が露出しないとともに、カバーに配置されたカバー取付けねじの頭部は、この頭部が具本体の周面に露出した場合に比較して視認し難い。加えて、実施形態１の照明器具は、カバーを取付けるための支持枠及びストッパ部材、固定ねじ等が、いずれも器具本体の内部に設けられていて、カバーを固定する構成が、器具本体の外部に、部分的若しくは環状となって突出されることがない。このため、器具本体の外径に変化がなく外観がスッキリとしている。したがって、照明器具の外観を向上することが可能である。
【００１７】
実施形態２の照明器具は、実施形態１において、前記カバーと前記器具本体の端面との間に挟まれた防水パッキンと、前記取付けねじの頭部と前記カバーとの間に挟まれたねじ防水パッキンとを、更に備え、前記防水パッキンが前記器具本体の端面と前記支持枠の周壁の端面とに接していることを特徴としている。
【００１８】
この実施形態２で、防水パッキンは、カバー又は器具本体のいずれか一方に設けた環形のパッキン保持溝に嵌めて保持することが好ましいが、こうしたパッキン保持溝を省略して単純に器具本体の端面とカバーの裏面とで挟まれていても差し支えない。この実施形態１で、防水パッキン及びねじ防水パッキンには、弾性変形が可能な防水材料例えばシリコーンゴム等で好適に形成することが可能である。
【００１９】
この実施形態２では、実施形態１において、更に、器具本体の端面及びカバーで挟まれた防水パッキンが圧縮される方向と、カバー取付けねじの挿入方向とが同じである。このため、カバー取付けねじの締め付けに従い環形の防水パッキン全体が器具本体とカバーとで確実に挟まれるに伴い、器具本体とカバーの夫々に防水パッキンが確実に密接されて、器具本体とカバーとの間の防水性を確保できる。これとともに、カバー取付けねじの締め付けに従い、このねじの頭部とカバーとの間に挟まれたねじ防水パッキンが圧縮される方向と、カバー取付けねじの挿入方向とが同じであるので、カバー取付けねじの締め付けに従いカバー取付けねじの頭部まわり及びカバーにねじ防水パッキンが確実に密接されるので、カバー取付けねじが挿入された部分についての防水性を確保できる。したがって、防水の信頼性が向上された密閉構造の照明器具を提供することが可能である。更に、実施形態２では、防水パッキンを基準にカバーと反対側で、防水パッキンが密接する面の一部を支持枠の周壁の端面で担っている。このため、器具本体の肉厚を薄くでき、それに伴い、器具本体の重量を減らすことが可能である。
【実施例１】
【００２０】
以下、実施例１の照明器具について、図１〜図１０を参照して詳細に説明する。
【００２１】
図１中符号１は照明器具例えば壁付け形の照明器具を示している。この照明器具１は、器具ユニット２と、これに連結されたホルダ３とから形成されている。ホルダ３を建物の壁や柱に取付けることによって、器具ユニット２の中心軸線が例えば上下に延びるように照明器具１が設置される。尚、図１、図２、図９中符号４はホルダを柱等の設置箇所に固定するための設置ねじを示している。
【００２２】
器具ユニット２は、器具本体５と、一対の光源支持金具１１と、ソケット１３と、光源１６と、一対の支持枠（一方のみ図示）２１と、複数のストッパ部材３１と、一対のカバー４１と、複数のねじ防水パッキン４７と、一対の防水パッキン（一方のみ図示）５１等を備えている。
【００２３】
器具本体５は、両端が開放された筒例えば円筒からなる。この円筒は、押出し成形されたアルミニウム合金の長尺な丸パイプを所定長さに切断して得たので、材料コストが低い。図３〜図７及び図９に示すように円筒製の器具本体５は、その中心軸線(図示しない)が延びる方向の両端部に切削加工により形成された溝６を有している。なお、上側の溝６のみ図示するが、器具本体５の下端部にも同一の溝（図示しない）が設けられていて、これら上下の溝６は対称である。溝６は、図７等に示すように器具本体５の中心軸線が延びる方向に対向する溝側面６ａ，６ｂと、これらにわたる溝底面６ｃで区画されていて、円筒製の器具本体５内に開放されている。
【００２４】
図１０に示すように一対の光源支持金具１１が器具本体５に内蔵されている。これら光源支持金具１１は、同一構成であって、器具本体５の外側から挿入されたねじ（一本のみ図示する。）１２により器具本体５に上下対称の配置で固定されている。各光源支持金具１１は、器具本体５の内周面に沿うベース１１ａと、これから直角に折れ曲がるように設けられたソケット支持部１１ｂと、ベース１１ａから直角に折れ曲がったねじ受け部１１ｃを有している。
【００２５】
各光源支持金具１１のソケット支持部１１ｂにソケット１３が取付けられている。ソケット１３は上下対称に設けられているとともに、これらソケット１３は器具本体５の開口に対して比較的近い位置に支持されている。これらのソケット１３には後述する光源１６が有した口金の種類に適合した構成のソケットが使用され、この場合、ＧＸ５３型口金が着脱可能なソケット１３が使用されている。
【００２６】
ねじ受け部１１ｃは図３に示すように溝６と略同じ高さに配置されている。このねじ受け部１１ｃは、これに形成されたバーリング加工部を貫通するねじ孔１４を有している。
【００２７】
図２に示す光源１６は、その口金（図示しない）をソケット１３に着脱可能に接続して器具本体５に内蔵されている。この光源１６は、図示しないが例えばＧＸ５３型口金、及びＬＥＤ（発光ダイオード）からなる図示しない発光要素を有している。したがって、この光源１６は、ＧＸ５３型ＬＥＤ光源である。ソケット１３に支持された光源１６の光出射面は、器具本体５の溝６よりも器具本体５の長手方向中央部側に寄せられている。
【００２８】
なお、光源１６が有したＬＥＤは電気エネルギーを直接光に変換する半導体であり、このＬＥＤの発光は、半導体のｐ−ｎ接合に順方向電流を流すことで実現される。こうした発光原理で発光する半導体発光素子は、通電によりフィラメントを高温に白熱させて、その熱放射により可視光を放射させる白熱電球と比較して、省エネルギー効果を有するものである。
【００２９】
器具本体５の長手方向中央部の外面に前記ホルダ３がねじ止めされている。ソケット１３に接続された絶縁被覆電線１８（図１及び図１０参照）は、器具本体５及びホルダ３の夫々に設けられて互に連通された通線孔を通って外部に引き出されており、この絶縁被覆電線１８及びソケット１３を経由して光源１６に給電される。
【００３０】
一対の支持枠２１は、ＳＰＣ等の金属により器具本体５の環形形状に見合った環形をなしていて、器具本体５の両端部内側に夫々嵌合されかつ上下対称に配置されている。これら支持枠２１は、図３〜図７に示すように周壁２２、支持壁２３、内周壁部２４を有している。
【００３１】
詳しくは、周壁２２は器具本体５の端部内周面に接する部位である。支持壁２３は、器具本体５の内周面から遠ざかる方向に周壁２２から折れ曲がった部位である。内周壁部２４は、器具本体５の長手方向中央部に向けて支持壁２３から折れ曲がった部位である。したがって、周壁２２は、支持壁２３に対して内周壁部２４と反対側、つまり、器具本体５の開放された端に向けて折れ曲がっている。
【００３２】
周壁２２は支持壁２３を支点とする弾性変形が可能である。これとともに、器具本体５内への支持枠２１の挿入が容易となるように、周壁２２はその端面２２ａから支持壁２３に向うに従い次第に縮径されている。図２に示すように内周壁部２４の内径は光源１６の直径より大きく、これら内周壁部２４と光源１６とは光源１６の回転操作を許すように離されている。
【００３３】
既述のように折れ曲がった内周壁部２４の存在により、支持枠２１の強度が高められている。更に、光源１６が着脱操作される際、内周壁部２４の端と作業者の手との干渉が抑制されるとともに、支持壁２３と内周壁部２４とがなす角に作業者の手指が触れても、安全に着脱作業を行うことが可能である。
【００３４】
更に、周壁２２はその複数個所例えば２箇所に通孔（図５〜図７に夫々一方のみ図示）２５を有している。通孔２５は、スリット状をなして周壁２２の周方向に延びて設けられて、かつ、溝６に対向されている。図５に示すように溝６への対向は、溝６を区画しかつ器具本体５の中心軸線が延びる方向に対向した溝側面６ａ，６ｂのうちで器具本体５の端面５ａに近い方の溝側面６ａが通孔２５の幅内に位置されるように、通孔２５は溝６の一部に対向している。こうした対向関係は、溝６幅及び後述するストッパ部材３１の挿入部３１ａの厚みの寸法精度のばらつきがあっても、後述する挿入部３１ａを溝６に容易に挿入できる点で好ましい。
【００３５】
更に、図２に示すように支持壁２３は、これに形成されたバーリング加工部を貫通する複数の第１ねじ孔２６と、同じくバーリング加工部を貫通する複数の第２ねじ孔２７と、単一のねじ通孔２８を有している。第１ねじ孔２６は支持枠２１の周方向に１２０度間隔ごとに設けられている。第２ねじ孔２７の数は通孔２５と同数であり、これら第２ねじ孔２７は通孔２５の近傍に夫々設けられている。これら第２ねじ孔２７とねじ通孔２８は、各第１ねじ孔２６に対して交互に、かつ、支持枠２１の周方向に１２０度間隔ごとに設けられている。
【００３６】
前記構成の支持枠２１は、その内周壁部２４を先頭にして器具本体５の端部に径圧入して取付けられている。この場合、周壁２２がその弾性変形を伴って縮径されるので、この周壁２２の端面２２ａ側の部位が器具本体５の端部内面に密接される。そのため、器具本体５に支持枠２１が取付けられた状態を保持できる。更に、支持枠２１が器具本体５に取付けられた状態で周壁２２の端面２２ａは、図３〜図５に示すように器具本体５の端面５ａと同じ高さでかつ面一に連続されている。
【００３７】
尚、支持枠２１は銀色などの白色系にめっきされている。これにより、後述のカバー４１で器具本体５に戻るように反射された一部の光のうちで、支持枠２１に入射した反射光を、前記めっきの層で光の出射方向に反射させることが可能である。
【００３８】
図５及び図７に示すようにストッパ部材３１は例えば平面視が四角状の金属製の平板で形成されている。このストッパ部材３１の厚みは、支持壁２３と一方の溝側面６ａとの間の寸法ｔ（図５参照）に略等しい。ストッパ部材３１はその一部からなる挿入部３１ａを有している。
【００３９】
各ストッパ部材３１は、その挿入部３１ａを支持枠２１の通孔２５に通して器具本体５の溝６に挿入するとともに、支持枠２１の支持壁２３に載せた上で、器具本体５の開口側から固定ねじ３２を、器具本体５の中心軸線と平行にストッパ部材３１に通して第２ねじ孔２７に螺合させることにより、支持壁２３に固定されている。この固定により、図５に示すように溝６の溝側面６ａと支持壁２３との間にストッパ部材３１が挟まれて、このストッパ部材３１が溝側面６ａに引っ掛かった状態となる。このため、各ストッパ部材３１によって、支持枠２１は器具本体５に対して外れ止めされている。
【００４０】
これとともに、図３に示すように支持枠２１は、そのねじ通孔２８を通って前記ねじ受け部１１ｃのねじ孔１４に螺合されたねじ３３によって、光源支持金具１１に固定されている。したがって、このねじ止め部分においても器具本体５に対する支持枠２１の外れ止めがなされている。更に、ねじ受け部１１ｃは、支持枠２１を器具本体５に軽圧入する際に、その挿入深さを規定するためのストッパとして機能している。それにより、溝６に対する通孔２５の位置合わせが可能であるとともに、周壁２２の端面２２ａを器具本体５の端面５ａに面一に揃えることが可能である。
【００４１】
一対のカバー４１は、図６等に示すようにカバー本体４２と、透光ガラス４３と、弾性変形が可能なゴム等からなるガラスパッキン４４と、複数の押え金具４５を備えている。
【００４２】
カバー本体４２は、器具本体５の環形形状に見合った大きさの環形に形成されていて、ガラス受け部４２ａと、複数の凹部４２ｂと、複数のパッキン嵌合溝４２ｃと、複数のねじ通孔４２ｄと、単一のパッキン保持溝４２ｅを有している。
【００４３】
周部にガラスパッキン４４が被嵌された透光ガラス４３は、カバー本体４２の開口を塞いでカバー本体４２の内側に配設されていて、押え金具４５によりカバー本体４２に固定されている。図９に示すように各押え金具４５は、カバー本体４２の裏面にねじ止めされていて、ガラスパッキン４４が被嵌された透光ガラス４３の周部をガラス受け部４２ａとの間に挟んで、透光ガラス４３を固定している。ガラスパッキン４４により、カバー４１の防水が確保されているとともに、押え金具４５の締め付けに伴う透光ガラス４３の損傷が防止されている。
【００４４】
カバー本体４２の周部表面は丸みを帯びて形成されている。各凹部４２ｂは、第１ねじ孔２６と同数で同じ配置に設けられ、かつ、カバー本体４２の周部表面に開放されている。そのため、凹部４２ｂに入った雨水等をカバー本体４２の周部表面のうちで側部表面部位から排出して、雨水が凹部４２ｂに留まり難くできる点で好ましい。
【００４５】
各パッキン嵌合溝４２ｃは凹部４２ｂの底面に開放して設けられている。各ねじ通孔４２ｄは、カバー本体４２を厚み方向に貫通して設けられていて、一端はパッキン嵌合溝４２ｃに開放され他端はカバー本体４２の裏面に開放されている。
【００４６】
図５に示すように各パッキン嵌合溝４２ｃの夫々に、弾性変形が可能なゴム等からリング形に形成されたねじ防水パッキン４７が密に収容されている。ねじ防水パッキン４７及びねじ通孔４２ｄを通ってカバー取付けねじ４８が、カバー本体４２の表側から裏側に通されている。各カバー取付けねじ４８の頭部は、それが視認されることを妨げて照明器具１の外観をより向上させるための好ましい例として凹部４２ｂに収容されている。
【００４７】
更に、カバー本体４２の裏側に突出された各カバー取付けねじ４８のねじ軸に、例えばゴム製等のストッパリング４９が取付けられている。この構成により、器具本体５に対してその下方からカバー４１を着脱する場合に、各カバー取付けねじ４８が落下することを防止できる。
【００４８】
パッキン保持溝４２ｅは、リング状をなしてカバー本体４２の裏面に開放して設けられていて、その内側に各押え金具４５が配設されている。パッキン保持溝４２ｅに、弾性変形が可能なゴム等からリング形に形成された防水パッキン５１が嵌合して取付けられている。この防水パッキン５１の一部はカバー本体４２の裏面から突出されている。
【００４９】
各ねじ防水パッキン４７、各カバー取付けねじ４８、及び防水パッキン５１が支持されたカバー４１は、器具本体５の開放された両端に夫々取付けられて上下対称に配設されている。これらカバー４１の器具本体５ヘの取付けは、器具本体５の長手方向の端にカバー４１を配設した状態で、各カバー取付けねじ４８を、器具本体５の中心軸線と平行に挿入して支持枠２１の第１ねじ孔２６に夫々螺合して締め付けることにより行われる。
【００５０】
こうしてカバー４１が支持枠２１を介して器具本体５に固定されるに伴い、防水パッキン５１が、器具本体５の端面５ａ及び支持枠２１が有した周壁２２の端面２２ａがなす面と、カバー本体４２の周部との間に挟まれて弾性変形される。この場合、端面５ａ，２２ａ及びカバー本体４２で挟まれた防水パッキン５１が圧縮される方向と、カバー取付けねじ４８の挿入方向とが同じであるので、カバー取付けねじ４８の締め付けに従い環形の防水パッキン５１全体が確実に挟まれて弾性変形される。それにより、防水パッキン５１が、端面５ａ，２２ａにわたって密接されるとともに、カバー本体４２の周部に密接されるので、器具本体５とカバー４１との間の防水を確保できる。
【００５１】
これとともに、既述の各カバー取付けねじ４８の締め付けに従い、カバー取付けねじ４８の頭部とカバー本体４２が有したパッキン嵌合溝４２ｃの底面との間にねじ防水パッキン４７が挟まれて、このねじ防水パッキン４７が弾性変形する。この場合、ねじカバー取付けねじ４８の頭部とカバー４１との間に挟まれたねじ防水パッキン４７が圧縮される方向と、カバー取付けねじ４８の挿入方向とが同じであるので、カバー取付けねじ４８の締め付けに従いねじ防水パッキン４７全体が確実に挟まれて弾性変形される。それにより、ねじ防水パッキン４７が、パッキン嵌合溝４２ｃの底面及び溝側面に夫々密接するとともに、カバー取付けねじ４８のねじ軸及び頭部に夫々密接するので、カバー取付けねじ４８が挿入された部分についての防水性を確保できる。
【００５２】
更に、カバー本体４２と透光ガラス４３との間の防水は、これらの間に介在されたガラスパッキン４４で確保されている。
【００５３】
したがって、以上の手順で密閉構造に組立てられた照明器具１の防水の信頼性を向上できる。このことは、実施例１の照明器具１の光源１６が、従来一般的な蛍光灯等からなる光源と比較してはるかに寿命が長いＬＥＤ光源であることに対応して、防水性を長期間にわたり維持する上で適している。
【００５４】
組立てられた照明器具１の光源１６への通電で、この光源１６が発光すると、その光はカバー４１の透光ガラス４３を通って器具本体５の中心軸線が延びる方向に出射されるので、この実施例１の照明器具１はその上方及び下方を照明することができる。
【００５５】
又、既述の照明器具１は、カバー４１を器具本体５の端に取付けるカバー取付けねじ４８の受けとなる支持枠２１、この支持枠２１を器具本体５に固定するためのストッパ部材３１、このストッパ部材３１を外れ止めする器具本体５の溝６及び固定ねじ３２を、器具本体５の内部に取付け、支持枠２１が有した第１ねじ孔２６に、カバー４１をその厚み方向に貫通して器具本体５の中心軸線と平行に挿入されたカバー取付けねじ４６を螺合することによって、カバー４１を器具本体５に取付けている。
【００５６】
これにより、支持枠２１、ストッパ部材３１、及び固定ねじ３２は視認されることがイだけではなく、筒からなる器具本体５の周面に、カバー取付けねじ４６の頭部が露出しない。これとともに、カバー４１に配置されたカバー取付けねじ４８の頭部は、この頭部が器具本体５の周面に露出した場合に比較して視認し難いため、照明器具１の外観を向上することが可能である。
【００５７】
更に、実施例１では、カバー４１に凹部４２ｂを設けて、そこにカバー取付けねじ４８の頭部を収めて、この頭部がより視認し難くなっているので、照明器具１の外観をより向上することが可能である。しかも、既述のようにカバー４１を取付けるための、支持枠２１及びストッパ部材３１、固定ねじ３３等が、いずれも器具本体５の内部に設けられていて、カバーを固定する構成が、器具本体５の外部に、部分的若しくは環状となって突出されることがない。このため、器具本体５の外径に変化がなく外観がスッキリとしているので、この点においても照明器具１の外観をより向上することが可能である。
【００５８】
しかも、既述の照明器具１では、器具本体５の端面５ａと、器具本体５に取付けられた支持枠２１が有した周壁２２の端面２２ａとが、同じ高さで面一に連続して防水パッキン５１に接している。言い換えれば、防水パッキン５１を基準にカバー４１と反対側で、防水パッキン５１が密接する面の一部を支持枠２１の周壁２２の端面２２ａで担っている。このため、器具本体５の肉厚を薄くできる。したがって、器具本体５の重量が減って、照明器具１の軽量化を図ることができるとともに、器具本体５の材料コストが低下することに伴うコストダウンを期待することが可能である。
【００５９】
実施例１の照明器具１はその器具本体５の中心軸線が延びる方向の双方に投光する構成であるが、上方又は下方など片方のみに投光する構成の照明器具とすることも可能である。この場合、一方の光源支持金具１１、この金具に取付けられるソケット１３、及びこのソケットに取付けられる光源１６を省略するとともに、投光されない側に配置されるカバーに、投光機能がない遮光性のカバー、即ち、環形のカバー本体４２に代えて閉じた構成のカバー本体を備えたカバーを用いて実施すればよい。
【符号の説明】
【００６０】
１…照明器具、５…器具本体、５ａ…器具本体の端面、６…溝、６ａ，６ｂ…溝側面、１６…光源、２１…支持枠、２２…周壁、２２ａ…周壁の端面、２３…支持壁、２４…内周壁部、２５…通孔、２６…第１ねじ孔、２７…第２ねじ孔、３１…ストッパ部材、３２…固定ねじ、４１…カバー、４７…ねじ防水パッキン、４８…カバー取付けねじ、５１…防水パッキン
【図１】
2012186096.tif 000003
【図２】
2012186096.tif 000004
【図３】
2012186096.tif 000005
【図４】
2012186096.tif 000006
【図５】
2012186096.tif 000007
【図６】
2012186096.tif 000008
【図７】
2012186096.tif 000009
【図８】
2012186096.tif 000010
【図９】
2012186096.tif 000011
【図１０】
2012186096.tif 000012